(57)【要約】【課題】収納庫内を換気できる加熱調理器を提供する。【解決手段】上部が開口された本体と、本体の開口を覆うように取り付けられ、調理容器が載置される天板と、本体内に設けられ、本体の前面に開口部及び前面以外の何れかの面に通気穴を有する収納庫とを有し、本体がキッチン台内に収容される加熱調理器であって、キッチン台の正面に位置し、収納庫の開口部を開閉自在に覆うカバーを備え、収納庫の開口部とカバーとの間に、カバーの外側と連通する隙間を設けている。【選択図】図１
2017219257.tif 000002
【特許請求の範囲】
【請求項１】
上部が開口された本体と、
前記本体の開口を覆うように取り付けられ、調理容器が載置される天板と、
前記本体内に設けられ、当該本体の前面に開口部及び前記前面以外の何れかの面に通気穴を有する収納庫とを有し、
前記本体がキッチン台内に収容される加熱調理器であって、
前記キッチン台の正面に位置し、前記収納庫の開口部を開閉自在に覆うカバーを備え、
前記収納庫の開口部と前記カバーとの間に、前記カバーの外側と連通する隙間を設けたことを特徴とする加熱調理器。
【請求項２】
前記本体内を冷却する冷却ファンを備え、
前記カバーは、前記収納庫内に出し入れ自在に収納されるトレイを備え、
前記トレイは、前記収納庫内の底面との間に空間を隔てて収納されることを特徴とする請求項１記載の加熱調理器。
【請求項３】
前記トレイの開口の周縁部にフランジ部が設けられ、
前記複数の通気穴は、前記トレイよりも下に設けられていることを特徴とする請求項２記載の加熱調理器。
【請求項４】
前記カバーは、前記トレイを当該カバーの前後方向の移動に伴って移動させる摺動部材を備え、
前記摺動部材は、前記トレイのフランジ部よりも下方に位置することを特徴とする請求項３記載の加熱調理器。
【請求項５】
前記本体内に前記天板に載置された調理容器を加熱する加熱手段と、
前記本体の後部に複数の吸気穴と
を備え、
前記冷却ファンにより外気を前記複数の吸気穴から吸引し、その外気を冷却風として前記本体内を冷却した後、前記収納庫の複数の通気穴を通って前記本体の外部へ排出するようにしたことを特徴とする請求項１〜４の何れか１項に記載の加熱調理器。
【請求項６】
前記本体は、前記収納庫の複数の通気穴と前記冷却ファンの吸気口とを連通する吸気路を備えていることを特徴とする請求項１〜４の何れか１項に記載の加熱調理器。
【請求項７】
前記トレイに断熱性を有するシートを設けたことを特徴とする請求項２〜６の何れか１項に記載の加熱調理器。
【請求項８】
前記シートに凸部を設けたことを特徴とする請求項７記載の加熱調理器。
【発明の詳細な説明】
【技術分野】
【０００１】
本発明は、キッチン台に収容される加熱調理器に関するものである。
【背景技術】
【０００２】
従来の加熱調理器として、本体の内部に調理庫を備えたものがある。その調理庫は、前面に設けられた扉を開けてから、調理庫内に調理物を挿入し、扉を閉めて加熱調理が可能になっている（例えば、特許文献１参照）。
【先行技術文献】
【特許文献】
【０００３】
【特許文献１】特開２００９−２１０１４６号公報
【発明の概要】
【発明が解決しようとする課題】
【０００４】
前述の加熱調理器は、何れも調理庫を備えたことが前提に構成されているため、加熱調理器全体のコストが高くなる。調理庫は、加熱調理器の本体内に内蔵されているため、調理庫全体を清掃することも容易ではなかった。
また、調理庫で魚等の調理物を焼いた後には、調理庫に臭いが残存するため、調理庫での別の調理物の調理をするのを避ける傾向もあり、調理庫が有効に活用されていなかった。
【０００５】
本発明は、前述のような課題を解決するためになされたもので、調理庫に代えて収納庫とし、収納庫内を換気できる加熱調理器を提供することを目的とする。
【課題を解決するための手段】
【０００６】
本発明に係る加熱調理器は、上部が開口された本体と、本体の開口を覆うように取り付けられ、調理容器が載置される天板と、本体内に設けられ、本体の前面に開口部及び前面以外の何れかの面に通気穴を有する収納庫とを有し、本体がキッチン台内に収容される加熱調理器であって、キッチン台の正面に位置し、収納庫の開口部を開閉自在に覆うカバーを備え、収納庫の開口部とカバーとの間に、カバーの外側と連通する隙間を設けている。
【０００７】
本発明によれば、キッチン台の正面に位置し、収納庫の開口部を開閉自在に覆うカバーを備え、収納庫の開口部とカバーとの間に、カバーの外側と連通する隙間を設けているので、本体外部との通気性を確保できる。これにより、常時、収納室内の臭い、湿気が低減される。
【図面の簡単な説明】
【０００８】
【図１】本発明の実施の形態１に係る加熱調理器がキッチン台に収容された状態を示す断面図である。
【図２】本発明の実施の形態２に係る加熱調理器が収容されたキッチン台の全体を示す斜視図である。
【図３】図２の加熱調理器を示す斜視図である。
【図４】図２に示す矢視Ｘ−Ｘ方向から見た加熱調理器の断面図である。
【図５】収納室内のトレイとレールとの関係を示す正面図である。
【図６】図２の矢視Ｙ−Ｙ方向から見て示す加熱調理器の断面図である。
【図７】図６の加熱調理器の天板を取り外して示す斜視図である。
【図８】図４の加熱調理器に冷却風の流れを示した状態の断面図である。
【図９】天板及び加熱手段を外して示す加熱調理器の断面図である。
【図１０】図５の変形例を示す収納庫の拡大正面図である。
【図１１】本発明の実施の形態３に係る加熱調理器がキッチン台に収容された状態を示す断面図である。
【図１２】本発明の実施の形態４に係る加熱調理器を示す斜視図である。
【図１３】本発明の実施の形態５に係る加熱調理器において、カバー及びトレイを収納室から取り出して示す斜視図である。
【図１４】本発明の実施の形態６に係る加熱調理器において、レールを収納室から取り出して示す斜視図である。
【図１５】本発明の実施の形態７に係る加熱調理器において、トレイを収納室から取り出して示す斜視図である。
【図１６】収納室内のトレイと支持部との関係を示す正面図である。
【発明を実施するための形態】
【０００９】
実施の形態１．
図１は本発明の実施の形態１に係る加熱調理器がキッチン台に収容された状態を示す断面図である。
本実施の形態１の加熱調理器１００は、キッチンカウンター２０１に設けられた開口２０１ａから、キッチン台２００内に本体１を落とし込むようにして収容することで、キッチン台２００に設置される。天板２は、キッチンカウンター２０１の開口２０１ａよりも大きく形成されており、天板２が開口２０１ａの縁に掛かることによって、本体１がぶら下がった状態で支持されている。
【００１０】
本体１は上部が開口されており、天板２は本体１の開口を覆うように取り付けられている。天板２の下には、天板２に載置される調理容器Ａを誘導加熱する加熱手段である誘導加熱コイル３が配置されている。なお、ここでは、誘導加熱コイル３を１つしか示していないが、２つ以上の誘導加熱コイル３が配置されている。誘導加熱コイル３の下方には、収納庫１０が設置されている。この収納庫１０は、前面に開口部１１を有する箱状に形成され、この開口部１１と対向する背面側の側壁に複数の通気穴１２が設けられている。
【００１１】
収納庫１０内の収納室１３は、例えば、収納室１３の底面に調理容器Ａが直に設置される。なお、収納室１３に収納されるものとして、調理容器Ａに限定されるものではなく、例えば、しゃもじ、へら、おろし金等の調理小物を収納するようにしてもよい。
【００１２】
収納庫１０には、開口部１１を開閉するカバー１４が設けられている。このカバー１４は、キッチン台２００の正面に設けられた引出パネル２０４と同一面上になるように設置され、収納庫１０の開口部１１を開閉自在に覆っている。カバー１４は、キッチン台２００の正面の意匠統一を図るために、引出パネル２０４と同じ色、同じ材料により形成されていることが望ましい。
【００１３】
また、カバー１４は、収納室１３の幅方向の両側壁に設けられた一対のカバー摺動部材１５によって前後に移動するように構成されている。カバー１４の前後の移動は、カバー１４の上部に設けられた手掛け部１４ａを引いたり、押すことで可能になる。収納庫１０の開口部１１とカバー１４との間には隙間Ｇ１が設けられおり、カバー１４と引出パネル２０４との間には隙間Ｇ２が設けられている。
【００１４】
以上のように、カバー１４と引出パネル２０４との間に隙間Ｇ２、開口部１１とカバー１４との間に隙間Ｇ１、更に、収納庫１０の背面側の側壁に複数の通気穴１２を設けているので、外気との通気性を確保できる。これにより、常時、収納室１３内の臭い、湿気が低減される。
【００１５】
実施の形態２．
図２は本発明の実施の形態２に係る加熱調理器が収容されたキッチン台の全体を示す斜視図、図３は図２の加熱調理器を示す斜視図、図４は図２に示す矢視Ｘ−Ｘ方向から見た加熱調理器の断面図、図５は収納室内のトレイとレールとの関係を示す正面図である。なお、実施の形態１と同様の部分には同じ符号を付し、説明を省略する。
【００１６】
本実施の形態２の加熱調理器１００は、図２に示すように、キッチン台２００に収容される。キッチン台２００の上面にはキッチンカウンター２０１が設けられている。このキッチンカウンター２０１は、調理物の下ごしらえ等を行える平坦なスペースを有し、洗い物等を行うシンク２０２、水あるいはお湯を供給する水栓器具２０３を備えている。
【００１７】
キッチン台２００の正面は、複数の区画に分割されており、例えば、複数の引出パネル２０４と、後述する収納庫１０の開口部１１を覆うカバー１４と、固定カバー１６とによって分割されている。複数の引出パネル２０４には、上部が開口した箱状のトレイが設けられている。
【００１８】
また、複数の引出パネル２０４の正面の上部には、キッチン台２００からトレイを引き出したり、キッチン台２００内にトレイを収容するための手掛け部が設けられている。固定カバー１６は、本体１の前面に設けられた収納庫１０の開口部１１を除く前面板に固定されている。複数の引出パネル２０４、カバー１４及び固定カバー１６は、キッチン台２００の正面の意匠統一を図るために、同一面上であって、同じ色、同じ材料により形成されていることが望ましい。
【００１９】
本実施の形態２においては、本体１を前方から見て、例えば、本体１の前面左側に収納庫１０の開口部１１が配置されている。なお、収納庫１０の開口部１１を本体１の前面右側に設けてもよい。カバー１４には、図３及び図４に示すように、収納庫１０の収納室１３に出し入れ自在に収納されるトレイ２０が設けられている。また、カバー１４には、幅方向の互いに対向する位置に一対の摺動部材が固定されている。一対の摺動部材はそれぞれ、摺動レール２１と固定レール２５で構成される。図５に示すように、固定レール２５は、収納室１３の幅方向の両側壁に取り付けられる。摺動レール２１は、手前と奥に設けられた連結部材２２、２３によって互いに連結されている。この摺動レール２１は、固定レール２５により前後に摺動する。複数の通気穴１２は、図４及び図５に示すように、収納室１３の背面側を形成する側壁の下部に設けられている。
【００２０】
トレイ２０は、収納室１３の底面との間に隙間Ｇ３を隔てて、連結部材２２、２３の上に取り外し自在に設置される。トレイ２０には、開口の周縁部にフランジ部２０ａが設けられている。フランジ部２０ａは、図５に示すように、摺動レール２１の上方に位置している。言い換えれば、摺動レール２１は、フランジ部２０ａよりも下側に位置している。
【００２１】
また、トレイ２０には、シート２４が取り出し自在に設置されている。シート２４は、断熱性を有し、例えばシリコーン材によって形成されている。このシート２４には、前後に幅方向に長い凸部２４ａが設けられている。この凸部２４ａにより、シート２４上に設置された調理容器Ａの前後方向の移動が抑制される。なお、シート２４上に２本の凸部２４ａを設けているが、この凸部２４ａは前後方向に２つ配置されることに限定されるものではなく、収納物の仕切りや動きを抑制する目的を達成するために中央に１本、あるいは長手方向に延びるように設けられてもよい。
【００２２】
次に、冷却ファンの設置位置及び冷却ファンによる冷却風の流れについて、図６〜図８を用いて説明する。
図６は図２の矢視Ｙ−Ｙ方向から見て示す加熱調理器の断面図、図７は図６の加熱調理器の天板を取り外して示す斜視図、図８は図４の加熱調理器に冷却風の流れを示した状態の断面図である。
【００２３】
冷却ファン３０は、例えばシロッコファンで、天板２の下方で固定カバー１６の後方の本体１内に、誘導加熱コイル３等に電力を供給する回路基板３１と共に配置されている。この回路基板３１には、インバーターのスイッチング素子等を冷却するためのヒートシンク３２が設けられている。回路基板３１は、図７に示すように、２つの通気口３６を有する基板ケース３５に収められている。本体１の後部側には、図６に示すように、複数の吸気穴３３が設けられている。複数の吸気穴３３は、固定カバー１６と引出パネル２０４との間に形成された隙間Ｇ４と連通している。冷却ファン３０の吸気側に複数の吸気穴３３と連通する吸気口３４が設けられている。
【００２４】
図６に示すように、冷却ファン３０の運転により、外気が隙間Ｇ４から本体１の下側に形成された空間に吸い込まれる。吸い込まれた外気は、複数の吸気穴３３と吸気口３４とを通過し、冷却ファン３０によって吸引され、冷却風として回路基板３１及びヒートシンク３２を冷却する。その後、冷却風は、図７に示すように、基板ケース３５の通気口３６から流出し、３つの誘導加熱コイル３を冷却した後、本体１の後部側に流れる。そして、冷却風は、図８に示すように、収納庫１０の背面側に設けられた複数の通気穴１２を通って、トレイ２０と収納室１３の底面との間に形成された隙間Ｇ３を通り、カバー１４と収納庫１０の開口部１１との間の隙間Ｇ１に流れ、カバー１４と引出パネル２０４との間の隙間Ｇ２から外部へ排出される。
【００２５】
以上のように本実施の形態２においては、以下のような効果が得られている。
（１）冷却ファン３０の運転時に、冷却風が収納庫１０の収納室１３内を通るようにしているので、収納室１３内が換気され、このため、収納室１３内の臭い、湿気の低減を図ることができる。
【００２６】
（２）収納室１３に出し入れ自在に収納されるトレイ２０を設けているので、トレイ２０上に調理容器Ａ等の物を容易に収納でき、収納室１３の利便性が向上する。
【００２７】
（３）トレイ２０が収納室１３の底面から隙間Ｇ３を有する位置に設けられているので、トレイ２０上に調理容器Ａ、調理小物等が収納されている場合でも、その隙間Ｇ３により、それらの物から影響を受けること無く、安定して収納室１３の換気ができる。また、トレイ２０が収納室１３の底面よりも上方に設けられているので、トレイ２０が収納室１３の底面に設置されることはなく、このため、収納室１３の底面がトレイ２０で汚れるということがない。
【００２８】
（４）カバー１４の前後方向の移動に伴って、摺動レール２１が収納室１３内を前後に移動するので、トレイ２０の出し入れが容易となり、利便性が向上する。
【００２９】
（５）摺動レール２１をフランジ部２０ａよりも下側に位置しているので、摺動部材の汚れを防止できる。
【００３０】
（６）本体１内を冷却した冷却風が収納庫１０の通気穴１２を通り、本体１から外部へ排出されるようにしているので、従来のように天板２の後部に設けられた排気口を不要あるいは小さくできる。このため、天板２での調理中の吹きこぼれによる本体１内への浸入を防止あるいは低減でき、天板２のスペースを有効に活用できる。
【００３１】
（７）トレイ２０上にシート２４を設けることで、トレイ２０の下面に物品の熱が伝わり難くなり、隙間Ｇ３を通過する空気はトレイ２０上の物品の熱影響を受け難くなる。これにより、通気穴１２から空気が本体１内に流れる場合には、その空気の温度上を抑制でき、また、本体１内から通気穴１２に流れる場合には、吸気温度の上昇を抑えることができる。
【００３２】
なお、実施の形態２では、外気を固定カバー１６側から吸い込んで、回路基板３１及び誘導加熱コイル３を順に冷却し、収納庫１０の収納室１３を換気し、カバー１４から外部へ排出するようにしたが、例えば図９に示すように冷却と換気の順序が逆になるようにしてもよい。
図９は天板及び加熱手段を外して示す加熱調理器の断面図である。
図９に示す収納庫１０は、図１に示す実施の形態１と同様の収納庫１０が使用される。つまり、収納室１３の背面側の側壁全面に複数の通気穴１２が設けられた収納庫１０が使用される。
【００３３】
図９に示すように、冷却ファン３０の運転により、外気がカバー１４と引出パネル２０４との間の隙間Ｇ２から吸い込まれる。そして、その外気は、カバー１４と収納庫１０の開口部１１との間の隙間Ｇ１を通って収納室１３内に吸引され、複数の通気穴１２から本体１の後部との間の吸気路３７に流れる。その後、外気は冷却ファン３０により吸引され、冷却風として回路基板３１に送り込まれ、回路基板３１とヒートシンク３２を冷却する。回路基板３１を冷却した冷却風は、誘導加熱コイル３を冷却する。
【００３４】
この場合、複数の通気穴１２を通過した外気の一部と誘導加熱コイル３を冷却した冷却風の一部は、本体１内の空間（図示せず）を通って、天板２の後方に設けられた排気口２ａ（図１５参照）から外部へ排出される。
【００３５】
以上のように、冷却ファン３０の運転時に、外気が収納庫１０の収納室１３内を通るようにしているので、収納室１３内が換気され、このため、収納室１３内の臭い、湿気の低減を図ることができる。
【００３６】
実施の形態２では、一対の摺動部材がカバー１４に固定されていることを述べたが、一対の摺動部材がカバー１４に取り外し自在に係止されるようにしてもよい。この場合、例えば図１０に示すような摺動部材とトレイ２０を用いる。
図１０は図５の変形例を示す収納庫の拡大正面図である。
【００３７】
一対の摺動部材は、Ｌ字状に形成され、トレイ２０が収納室１３の底面から隙間Ｇ３の位置に設置されるように、カバー１４に係止されている。トレイ２０の幅方向のフランジ部２０ａを含む幅Ｗ１は、トレイ２０自体が収納室１３の幅Ｗ２内で左右方向に殆どずれないような長さに設定されている。つまり、フランジ部２０ａによって、トレイ２０が収納室１３に摺動自在に嵌め込まれた状態となっている。
【００３８】
以上ように、トレイ２０が収納室１３の底面から隙間Ｇ３を有する位置に設けられているので、トレイ２０上に調理容器Ａ、調理小物等が収納されている場合でも、その隙間Ｇ３により、それらの物から影響を受けること無く、安定して収納室１３の換気ができる。また、トレイ２０が収納室１３の底面よりも上方に設けられているので、トレイ２０が収納室１３の底面に設置されることはなく、このため、収納室１３の底面がトレイ２０で汚れるということがない。
【００３９】
また、カバー１４の前後方向の移動に伴って、摺動部材が収納室１３内を前後に移動するので、トレイ２０の出し入れが容易となり、利便性が向上する。
【００４０】
また、摺動部材がフランジ部２０ａよりも下側に位置しているので、摺動部材の汚れを防止できる。
【００４１】
更に、収納室１３に出し入れ自在に収納されるトレイ２０を設けているので、トレイ２０上に調理容器Ａ以外の調理小物等を収納でき、収納室１３の利便性が向上する。
【００４２】
実施の形態３．
図１１は本発明の実施の形態３に係る加熱調理器がキッチン台に収容された状態を示す断面図である。なお、実施の形態１、２と同様の部分には同じ符号を付し、説明を省略する。
本実施の形態３においては、冷却ファン３０は、収納庫１０の後部上方に設置されており、冷却ファン３０の吸気口３４と収納庫１０の複数の通気穴１２とを連通する吸気路３７が設けられている。回路基板３１は、冷却ファン３０の送風側であって、収納庫１０の上方に設置されている。トレイ２０は、カバー１４に固定され、収納室１３に出し入れ自在に収納されるように構成されている。
【００４３】
冷却ファン３０を運転した場合、外気がカバー１４と引出パネル２０４との間の隙間Ｇ２から吸い込まれる。そして、その外気は、カバー１４と収納庫１０の開口部１１との間の隙間Ｇ１を通って収納庫１０の収納室１３内に吸引され、複数の通気穴１２から吸気路３７を介して冷却ファン３０により吸引される。吸引された外気は冷却風として、収納庫１０上の回路基板３１に送り込まれ、回路基板３１とヒートシンク３２を冷却する。回路基板３１を冷却した冷却風は、誘導加熱コイル３を冷却し、本体１内の空間（図示せず）を通って、天板２の後方に設けられた排気口２ａ（図１５参照）から外部へ排出される。また、本体１内を冷却した冷却風は、固定カバー１６と引出パネル２０４との間の隙間Ｇ４から外部へ排出される。
【００４４】
以上のように本実施の形態３においては、冷却ファン３０の運転時に、外気が収納庫１０の収納室１３内を通るようにしているので、室温に近い空気を吸気でき、本体１内の冷却効率が向上する。また、収納室１３内が換気され、このため、収納室１３内の臭い、湿気の低減を図ることができる。
【００４５】
また、本体１内を冷却した冷却風が固定カバー１６と引出パネル２０４との間の隙間Ｇ４から外部へ排出されるようにしているので、従来のように天板２の後部に設けられた排気口を不要あるいは小さくできる。このため、天板２での調理中の吹きこぼれによる本体１内への浸入を防止あるいは低減でき、天板２のスペースを有効に活用できる。
【００４６】
実施の形態４．
図１２は本発明の実施の形態４に係る加熱調理器を示す斜視図である。なお、実施の形態１、２と同様の部分には同じ符号を付し、説明を省略する。
実施の形態４においては、本体１の前面全体を開口部１１とする収納庫１０を本体１内に設けたものである。収納庫１０の背面側の側壁全面あるいは側壁の下部には、複数の通気穴１２が設けられている。収納庫１０の上方には、誘導加熱コイル３が配置される仕切板４０が設けられてる。仕切板４０には、左右両側に通気口４１が設けられている。収納庫１０の開口部１１を覆うカバー１４は、カバー１４の下に設けられた引出パネル２０４との間に隙間Ｇ２が設けられている。また、カバー１４と開口部１１との間には隙間Ｇ１が設けられている。
【００４７】
冷却ファン３０の運転により、外気がカバー１４と引出パネル２０４との間の隙間Ｇ２から吸い込まれる。そして、その外気は、カバー１４と収納庫１０の開口部１１との間の隙間Ｇ１を通って収納庫１０の収納室１３内に吸引され、複数の通気穴１２から本体の後部の空間に吸引される。吸引された外気は冷却風として、収納庫１０の上方に送り込まれ、本体１内を冷却する。収納庫１０の上方に送り込まれた冷却風は、通気口４１を通って、本体１の隙間から外部へ排出される。
【００４８】
以上のように本実施の形態４においては、冷却ファン３０の運転時に、外気が収納庫１０の収納室１３内を通るようにしているので、収納室１３内が換気され、このため、収納室１３内の臭い、湿気の低減を図ることができる。
【００４９】
また、本体１内を冷却した冷却風が固定カバー１６と引出パネル２０５との間の隙間Ｇ４から外部へ排出されるようにしているので、従来のように天板２の後部に設けられた排気口を不要あるいは小さくできる。このため、天板２での調理中の吹きこぼれによる本体１内への浸入を防止あるいは低減でき、天板２のスペースを有効に活用できる。
【００５０】
実施の形態５．
図１３は本発明の実施の形態５に係る加熱調理器において、カバー及びトレイを収納室から取り出して示す斜視図である。なお、実施の形態１、２と同様の部分には同じ符号を付し、説明を省略する。
【００５１】
実施の形態５に係る加熱調理器１００は、本体１の前面の中央部に収納庫１０の開口部１１を配置したものである。収納庫１０の開口部１１を覆うカバー１４の両側には、本体１の前面に固定された固定カバー１６が設けられている。一対の摺動部材は、カバー１４に取り外し自在に係止されている。
【００５２】
一対の摺動部材は、Ｌ字状に形成され、トレイ２０が収納室１３の底面から隙間Ｇ３の位置に設置されるように、カバー１４に係止されている。この一対の摺動部材には、トレイ２０が取り外し自在に設置される。図１０に示すように、トレイ２０の幅方向のフランジ部２０ａを含む幅Ｗ１は、トレイ２０自体が収納室１３の幅Ｗ２内で左右方向に殆どずれないような長さに設定されている。
【００５３】
本実施の形態５においては、例えば、カバー１４と引出パネル２０４との間の隙間Ｇ２を吸気側とし、固定カバー１６と引出パネル２０４との間の隙間Ｇ３を排気側としている。
【００５４】
以上ように本実施の形態５によれば、トレイ２０が収納室１３の底面から隙間Ｇ３を有する位置に設けられているので、トレイ２０上に調理容器Ａ、調理小物等が収納されている場合でも、その隙間Ｇ３は、それらの物から影響を受けること無く、安定して収納室１３の換気ができる。また、トレイ２０が収納室１３の底面よりも上方に設けられているので、トレイ２０が収納室１３の底面に設置されることはなく、このため、収納室１３の底面がトレイ２０で汚れるということがない。
【００５５】
また、カバー１４の前後方向の移動に伴って、摺動部材が収納室１３内を前後に移動するので、トレイ２０の出し入れが容易となり、利便性が向上する。
【００５６】
また、摺動部材がフランジ部２０ａよりも下側に位置しているので、摺動部材の汚れを防止できる。
【００５７】
更に、収納室１３に出し入れ自在に収納されるトレイ２０を設けているので、トレイ２０上に調理容器Ａ以外の調理小物等を収納でき、収納室１３の利便性が向上する。
【００５８】
また、本体１内を冷却した冷却風が収納庫１０の通気穴１２を通り、本体１から外部へ排出されるようにしているので、従来のように天板２の後部に設けられた排気口を不要あるいは小さくできる。このため、天板２での調理中の吹きこぼれによる本体１内への浸入を防止あるいは低減でき、天板２のスペースを有効に活用できる。
【００５９】
実施の形態６．
図１４は本発明の実施の形態６に係る加熱調理器において、レールを収納室から取り出して示す斜視図である。なお、実施の形態１、２と同様の部分には同じ符号を付し、説明を省略する。
【００６０】
実施の形態６に係る加熱調理器１００は、本体１の前面全体に収納庫１０の開口部１１を配置したものである。一対の摺動部材は、カバー１４に取り外し自在に係止されている。一対の摺動部材は、Ｌ字状に形成され、トレイ２０が収納室１３の底面から隙間Ｇ３の位置に設置されるように、カバー１４に係止されている。この一対の摺動部材には、トレイ２０が取り外し自在に設置される。図１０に示すように、トレイ２０の幅方向のフランジ部２０ａを含む幅Ｗ１は、トレイ２０自体が収納室１３の幅Ｗ２内で左右方向に殆どずれないような長さに設定されている。本体１内の冷却風の流れは、図１３に示す実施の形態４と同様である。
【００６１】
以上ように本実施の形態６によれば、トレイ２０が収納室１３の底面から隙間Ｇ３を有する位置に設けられているので、トレイ２０上に調理容器Ａ、調理小物等が収納されている場合でも、その隙間Ｇ３は、それらの物から影響を受けること無く、安定して収納室１３の換気ができる。また、トレイ２０が収納室１３の底面よりも上方に設けられているので、トレイ２０が収納室１３の底面に設置されることはなく、このため、収納室１３の底面がトレイ２０で汚れるということがない。
【００６２】
また、カバー１４の前後方向の移動に伴って、摺動部材が収納室１３内を前後に移動するので、トレイ２０の出し入れが容易となり、利便性が向上する。
【００６３】
また、摺動部材がフランジ部２０ａよりも下側に位置しているので、摺動部材の汚れを防止できる。
【００６４】
更に、収納室１３に出し入れ自在に収納されるトレイ２０を設けているので、トレイ２０上に調理容器Ａ以外の調理小物等を収納でき、収納室１３の利便性が向上する。
【００６５】
また、本体１内を冷却した冷却風が本体１に設けられた隙間から外部へ排出されるようにしているので、従来のように天板２の後部に設けられた排気口を不要あるいは小さくできる。このため、天板２での調理中の吹きこぼれによる本体１内への浸入を防止あるいは低減でき、天板２のスペースを有効に活用できる。
【００６６】
実施の形態７．
図１５は本発明の実施の形態７に係る加熱調理器において、トレイを収納室から取り出して示す斜視図、図１６は収納室内のトレイと支持部との関係を示す正面図である。なお、実施の形態１、２と同様の部分には同じ符号を付し、説明を省略する。
【００６７】
実施の形態７に係る加熱調理器１００は、本体１の前面左側に収納庫１０の開口部１１を配置したものである。開口部１１を開閉するカバー１４には、トレイ２０が固定されている。このトレイ２０は、カバー１４側を除く周縁部にフランジ部２０ａが設けられている。トレイ２０の幅方向のフランジ部２０ａは、収納室１３の両側壁に設けられた支持部２６によって、前後に摺動自在に支持されている。
【００６８】
本実施の形態７においては、カバー１４と収納庫１０の開口部１１との間に隙間Ｇ１が設けられ、カバー１４と引出パネル２０４との間には隙間Ｇ２が設けられている。また、天板２の後部には排気口２ａが設けられている。この場合、外気をカバー１４側の隙間Ｇ２から取り込み、隙間Ｇ１を介して収納室１３内に流れる。そして、複数の通気穴１２から本体１内に流れ、回路基板３１、誘導加熱コイル３等を冷却した後、排気口２ａから外部へ排出される。
【００６９】
以上ように本実施の形態７によれば、トレイ２０が収納室１３の底面から隙間Ｇ３を有する位置に設けられているので、トレイ２０上に調理容器Ａ、調理小物等が収納されている場合でも、その隙間Ｇ３は、それらの物から影響を受けること無く、安定して収納室１３の換気ができる。また、トレイ２０が収納室１３の底面よりも上方に設けられているので、トレイ２０が収納室１３の底面に設置されることはなく、このため、収納室１３の底面がトレイ２０で汚れるということがない。
【００７０】
また、カバー１４の前後方向の移動に伴って、摺動部材が収納室１３内を前後に移動するので、トレイ２０の出し入れが容易となり、利便性が向上する。
【００７１】
また、摺動部材がフランジ部２０ａよりも下側に位置しているので、摺動部材の汚れを防止できる。
【００７２】
更に、収納室１３に出し入れ自在に収納されるトレイ２０を設けているので、トレイ２０上に調理容器Ａ以外の調理小物等を収納でき、収納室１３の利便性が向上する。
【符号の説明】
【００７３】
１  本体、２  天板、２ａ  排気口、３  誘導加熱コイル、１０  収納庫、１１  開口部、１２  通気穴、１３  収納室、１４  カバー、１４ａ  手掛け部、１５  カバー摺動部材、１６  固定カバー、２０  トレイ、２０ａ  フランジ部、２１  摺動レール、２２、２３  連結部材、２４  シート、２４ａ  凸部、２５  固定レール、２６  支持部、３０  冷却ファン、３１  回路基板、３２  ヒートシンク、３３  吸気穴、３４  吸気口、３５  基板ケース、３６  通気口、３７  吸気路、４０  仕切板、４１  通気口、１００  加熱調理器、２００  キッチン台、２０１  キッチンカウンター、２０１ａ  開口、２０２  シンク、２０３  水栓器具、２０４  引出パネル、Ａ  調理容器、Ｇ１、Ｇ２、Ｇ３、Ｇ４  隙間。
【図１】
2017219257.tif 000003
【図２】
2017219257.tif 000004
【図３】
2017219257.tif 000005
【図４】
2017219257.tif 000006
【図５】
2017219257.tif 000007
【図６】
2017219257.tif 000008
【図７】
2017219257.tif 000009
【図８】
2017219257.tif 000010
【図９】
2017219257.tif 000011
【図１０】
2017219257.tif 000012
【図１１】
2017219257.tif 000013
【図１２】
2017219257.tif 000014
【図１３】
2017219257.tif 000015
【図１４】
2017219257.tif 000016
【図１５】
2017219257.tif 000017
【図１６】
2017219257.tif 000018